(57)【要約】【課題】ボールを打ったときに断裂して本体の一部分が握り部から離れて飛び出ないように構成されている安全バットを提供する。【解決手段】安全バットは、木質の本体１を有する。本体１の内部に頂端から握り部末端まで貫通する中空空間部１１を形成し、中空空間部１１に断裂しないチューブ２をさし入れて設置する。チューブ２の頂端にめすねじ部２１を設け、チューブ２の頂端のめすねじ部２１におすねじ部３１を有するしめ付け蓋３をねじ合せる。更にチューブ２の末端に止め金２２を固く付設することにより、本体１とチューブ２が緊密に連結されて構成される。【選択図】  図１
2010274036.tif 000002
【特許請求の範囲】
【請求項１】
本体を有し、前記本体の内部に頂端から末端まで貫通する中空空間部を有し、前記中空空間部にチューブが設置され、前記チューブの頂端にはめすねじ部が設けられ、前記チューブの末端の外表面には、前記チュ一ブの外径及び前記中空空間部の内径よりも外径が大きい止め金が固く付設され、前記中空空間部の内径よりも外径が大きいしめ付け蓋がおすねじ部で前記チューブの前記頂端の前記めすねじとねじ合うことにより、前記本体と前記チューブとが緊密に連結されて構成されることを特徴とする安全バット。
【請求項２】
本体と、前記本体の内部に頂端から握り部の末端まで貫通する中空空間部を有し、前記中空空間部にチューブが設置され、前記チューブの両端の開き口にはそれぞれめすねじ部が設けられ、前記中空空間部の内径よりも外径が大きいしめ付け蓋がおすねじ部で前記チューブの両端の開き口の前記めすねじ部にねじ合うことにより、前記本体と前記チューブとが緊密に連結されて構成されることを特徴とする安全バット。
【発明の詳細な説明】
【技術分野】
【０００１】
本発明は、野球に使用されるバットに関する。
【背景技術】
【０００２】
野球の試合でよく発生する危険な状況と言えば、ボ一ルが人の身体に当たったり、或いはバットがボールを打つときに一部分が断裂してバットの握り部から離れて飛び出して附近に居る人に当って傷害を与えたりする。その危険程度では、バットが打者の手からすり抜けて飛び出した場合又は断裂したときにその断裂部分が身体に与える傷害の方が、ボ一ルが与える傷害よりも大きい。そこで、バットの製造業者はバットの安全性を研究し、特にバットが折れることを防止するために、従来の技術を改良し、非木質の材料でバットの細い部分と握り部の内部に長方形の空間を設置し、この空間の中に補強肋を設置することにより、バットの細い部分と握り部とがボ一ルを打つときに断裂することを防止するバットを作った。
しかし、この補強肋を持つバットは、その空間とその補強肋の間に両者を一体に結合させる構造がなく、バットの細い部と握り部との強度補強の効果が余りない。そのため、バットによりボールを打つことによりに断裂が発生したときには、打者の強い力で振られて、その断裂部が握り部から離れて飛び出る。故に補強肋を持つバットであっても、断裂部が握り部から離れて飛び出ることを防止できない虞があった。
【発明の概要】
【発明が解決しようとする課題】
【０００３】
本発明は、上述した従来の野球のバットが折れ易い欠点を改良し、バットの細い部分がボールを打つことにより断裂しても、握り部から飛び出ないバットを提供することを目的とする。
【課題を解決するための手段】
【０００４】
本発明の安全バットは、木質の材料で本体を作り、この本体の内部に頂端から握り部の末端まで貫通する中空空間部に断裂しない材料、金属でも非金属でもよい、で作ったチューブをさし入れて設置し、このチューブの頂端にめすねじ部を付けて、おすねじ部を有するしめ付け蓋を前記めすねじとねじ合せ、又前記チューブの末端に止め金を硬くつけて、それで前記本体と前記チューブを緊密に連結させて、本発明の安全バットを構成する。
【発明の効果】
【０００５】
本発明の安全バットはボールを打つときに、木質の本体がたとえどこかで断裂しても、本体の内部の断裂しないチューブでその断裂した部分を保持して握り部から離れて飛び出ることができないから、使用上安全である。
【図面の簡単な説明】
【０００６】
【図１】本発明の第一実施例による安全バットを説明する側面図である。
【図２】本発明の第一実施例による安全バットの側面図である。
【図３】図２の３−３線の断面図である。
【図４】本発明の第一実施例によるバット頂端の拡大断面図である。
【図５】本発明の第一実施例によるバット末端の拡大断面図である。
【図６】本発明の第二実施例による安全バットを説明する側面図である。
【図７】本発明の第二実施例による安全バットの側面図である。
【図８】図７の８−８線の断面図である。
【図９】本発明の第二実施例によるバット頂端の拡大断面図である。
【図１０】本発明の第二実施例によるバット末端の拡大断面図である。
【発明を実施するための形態】
【０００７】
以下、本発明の実施の形態を図面に基づいて説明する。
（第一実施例）
図１から図５に示すように、本発明の第一実施例による野球用の木質バットは、野球以外の用途にも使用できる。この安全バットは、本体１を有し、この本体１の内部に、その頂端から握り部の末端まで伸びる中空空間部１１を形成している。この中空空間部１１の中には、チューブ２が設置される。チューブ２の頂端部には、めすねじ部２１が付けられていている。又、チューブ２の末端部は、その外表面にチューブ２の外径よりも大きい外径を有する止め金２２が固くしめ付けられている。更に、本体１の頂端には、おすねじ部３１を有するしめ付け蓋３をチューブ２のめすねじ部２１とねじ合せることにより、チューブ２を本体１と固く連結させる。これにより、本実施例の安全バットは、たとえボールを打ったときに断裂したとしても、その断裂部が本体１の握り部から離れて飛び出ないようにチューブ２で固定されているので、安全にボールを打つことができる。
【０００８】
（第二実施例）
図６から図１０に、本発明の第二実施例による安全バットを示す。第一実施例と同じく野球用の木質バットで、その他の目的にも使用できる。第二実施例は、本体１を持ち、この本体１の内部に、その頂端から握り部の末端まで伸びる中空空間部１１を形成する。この中空空間部１１の中にチューブ２を設置し、このチューブ２の両末端にそれぞれめすねじ部２１を切っておく。本体１の両末端には、それぞれおすねじ部３１を有するしめ付け蓋３をチューブ２のそれぞれのねすねじ部２１とねじ合せて固定することにより、チューブ２は本体１と連結されて安定する。このようにして、第二実施例の安全バットは、ボールを打ったときにたとえ断裂する箇所が発生しても、その内部のチューブ２は断裂することなく、本体１の断裂した部分が握り部から飛び出さない様に保持するのでバットの安全性が確保される。
【０００９】
又上述の説明でわかる様に、第一実施例のチューブ２の末端に付設される止め金２２は、その外径が本体１の内部に設置されるチューブ２の内径よりも大きくなっている。そして、チューブ２の外径は、中空空間部１１の内径と同じか或は小さくしてある。又、チューブ２は断裂しない材料であれば金属性のものはもちろん、非金属でもよい。若しもバットの重量を調整したいときには、本体１の中空空間部１１の頂端に近い部分の内径を必要に応じて大きくすれば、本体１の重量を適当に軽減することができる。なお、しめ付け蓋３の外径は、中空空間部１１の両端口の内径よりも大きくしている。
【符号の説明】
【００１０】
１：本体、１１：中空空間部、２：チューブ、２１：めすねじ部、２２：止め金、３：しめ付け蓋、３１：おしねじ部
【図１】
2010274036.tif 000003
【図２】
2010274036.tif 000004
【図３】
2010274036.tif 000005
【図４】
2010274036.tif 000006
【図５】
2010274036.tif 000007
【図６】
2010274036.tif 000008
【図７】
2010274036.tif 000009
【図８】
2010274036.tif 000010
【図９】
2010274036.tif 000011
【図１０】
2010274036.tif 000012